(57)【要約】【課題】  従来のナイフスイッチは、取扱方法としては、接触片を放電させないために、その操作を素早くして、放電した金属が溶けるより早く、スイッチを完全に繋いだり遮断したりしていたが、それでも表面がスパークしていた。表面がスパークすると、ナイフスイッチの寿命が短くなっていた。 【解決手段】  本発明のナイフスイッチは、クリップ（２ａ）で放電すると困るので、クリップ（２ａ）で放電するより先に、放電部（２ｂ）が接触して、クリップ（２ａ）を放電から守る方法と、抵抗（２ｃ）を取り付けた補助用クリップ（２ｄ）でクリップ（２ａ）を放電から守る方法と、補助用クリップ（２ｄ）に放電部（２ｂ）を取り付ける方法の、ナイフスイッチを提供するものである。 【選択図】  図１
2010257808.tif 000002
【特許請求の範囲】
【請求項１】
絶縁台（１）の上に、電力側支持具（２）と機器側支持具（３）が取り付けてあり、
該電力側支持具（２）には、ナイフ（３ａ）を挟んで止めるクリップ（２ａ）と、該クリップ（２ａ）が放電しないように放電部（２ｂ）が具備されており、
上記機器側支持具（３）は、ヒンジ（３ｂ）を介して該ナイフ（３ａ）が取り付けてあることを特徴とするナイフスイッチ。
【請求項２】
絶縁台（１）の上に、電力側支持具（２）と機器側支持具（３）が取り付けてあり、
該電力側支持具（２）には、抵抗（２ｃ）を取り付けた補助用クリップ（２ｄ）がナイフ（３ａ）と先に接触し、後から該電力側支持具（２）のクリップ（２ａ）に接触し、
上記機器側支持具（３）は、ヒンジ（３ｂ）を介して該ナイフ（３ａ）が取り付けてあることを特徴とするナイフスイッチ。
【発明の詳細な説明】
【技術分野】
【０００１】
本発明は、大電流を繋いだり遮断したりするときに、放電していたのを少なくするナイフスイッチに関するものである。
【背景技術】
【０００２】
従来のナイフスイッチは、２００Ｖの１Ａぐらいなら繋いだり遮断したりしても放電は多少で、無視しても良い。しかし、２５０Ａだと、その放電は無視できない状態になる。そこで、従来の取扱方法としては、接触片のナイフとクリップを放電させないために、その操作を素早くしていた。そうすると、放電したナイフとクリップの金属が溶けるより早く、スイッチを完全に繋いだり遮断したりしていた。完全に繋いだナイフスイッチは、ナイフとクリップの表面積が広くなり、電流は抵抗なく流れる。
【先行技術文献】
【特許文献】
【０００３】
【特許文献１】特開昭６３−２７１８３６
【特許文献２】特開２００６−１６４８４１
【特許文献３】特開２００８−９１２７４
【発明の開示】
【発明が解決しようとする課題】
【０００４】
従来のナイフスイッチは、２００Ｖの２５０Ａだと放電は無視できない状態になるので、取扱方法としては、接触片のクリップとナイフを放電させないために、その操作を素早くして、放電した金属が溶けるより早く、完全にスイッチを繋いだり遮断したりしていた。すると、完全に繋いだ場合、接触した表面積が広くなり、電気が流れても抵抗にならず、したがって熱も持たない。
しかし、そのことを分かっている人なら、操作も素早くするが、分かっていない人は操作を遅くすると、ナイフスイッチのハンドルに具備されている、機器側支持具のナイフと、それと接触する電力側支持具のクリップとが放電してしまう。すると、表面がガタガタになり、そのためスイッチを入れたとしても、表面積の接触している面が狭くなり、熱を持つ状態となっていた。
【０００５】
そこで、本発明のナイフスイッチは、クリップ（２ａ）で放電すると困るので、クリップ（２ａ）で放電するより先に放電部（２ｂ）が接触して、クリップ（２ａ）を放電から守る方法と、抵抗（２ｃ）を取り付けた補助用クリップ（２ｄ）を取り付けることでクリップ（２ａ）を放電から守る方法と、前記放電部（２ｂ）を補助用クリップ（２ｄ）に取り付ける方法の、ナイフスイッチを提供するものである。
【課題を解決するための手段】
【０００６】
上記目的を達成するために、本発明のナイフスイッチは絶縁台（１）の上に、電力側支持具（２）と機器側支持具（３）が取り付けてある。
その電力側支持具（２）には、ナイフ（３ａ）を挟んで止めるクリップ（２ａ）と、クリップ（２ａ）を放電しないように放電部（２ｂ）が具備されている。その放電部（２ｂ）は、弾力のあるバネのようになっており、クリップ（２ａ）が接触する前に接触して、放電するのでクリップ（２ａ）部の放電を少なくする。
そして、ナイフ（３ａ）をクリップ（２ａ）が挟んで接触面を広くするため、ナイフスイッチは熱を持たない。
機器側支持具（３）は、ヒンジ（３ｂ）を介してナイフ（３ａ）が取り付けてあり、クリップ（２ａ）に接触し易くするため、ナイフ（３ａ）には面取り部（３ｃ）があることで目的を達成した。
【０００７】
請求項２のナイフスイッチは、絶縁台（１）の上に電力側支持具（２）と機器側支持具（３）が取り付けてあり、電力側支持具（２）には抵抗（２ｃ）を取り付けた補助用クリップ（２ｄ）がナイフ（３ａ）と先に接触し、後から電力側支持具（２）のクリップ（２ａ）に接触する。
機器側支持具（３）は、ヒンジ（３ｂ）を介してナイフ（３ａ）が取り付けてあり、補助用クリップ（２ｄ）とクリップ（２ａ）に接触し易くするため、ナイフ（３ａ）には面取り部（３ｃ）があることで目的を達成した。
【発明の効果】
【０００８】
本発明のナイフスイッチは、次のような効果がある。
（イ）余分に放電部（２ｂ）を取り付けたことで、クリップ（２ａ）が放電しないので綺麗に保てる。
（ロ）請求項２のナイフスイッチは、抵抗（２ｃ）を取り付けた補助用クリップ（２ｄ）を余分に取り付けたことで、クリップ（２ａ）の放電がないので綺麗に保てる。
（ハ）抵抗（２ｃ）を取り付けた補助用クリップ（２ｄ）と、補助用クリップ（２ｄ）に放電部（２ｂ）を取り付けた物は、さらに大電流のスイッチに向いている。
【図面の簡単な説明】
【０００９】
【図１】図は、本発明の斜視図である。
【図２】図は、オフの時のナイフスイッチの側面図である。
【図３】図は、放電部（２ｂ）に接触した時のナイフスイッチの側面図である。
【図４】図は、オンの時のナイフスイッチの側面図である。
【図５】図は、請求項２のナイフスイッチの側面図である。
【図６】図は、請求項１と請求項２を合わしたナイフスイッチの側面図である。
【発明を実施するための最良の形態】
【００１０】
本発明のナイフスイッチは絶縁台（１）の上に、電力側支持具（２）と機器側支持具（３）を取り付け、機器側支持具（３）にはヒンジ（３ｂ）を介してナイフ（３ａ）が、電力側支持具（２）のクリップ（２ａ）で挟んで止め、通電するところは、一般のナイフスイッチと同じである。
本発明の特徴は、電力側支持具（２）に放電部（２ｂ）を具備して、ナイフ（３ａ）の面取り部（３ｃ）が、クリップ（２ａ）に接触するより早く、放電部（２ｂ）が接触するために、クリップ（２ａ）での放電はしなくなる。その放電部（２ｂ）は、電力側支持具（２）を真鍮版で作るとき、クリップ（２ａ）と放電部（２ｂ）を一緒に型を取り、曲げて作るため、全体が薄い弾力を持ったバネのようになっている。
【００１１】
放電部（２ｂ）と、放電部（２ｂ）に接触するナイフ（３ａ）は、いくら放電しても接触するのが、上から押さえ付けるだけなので、障害にならない。
そして、放電部（２ｂ）が放電しているため、ナイフ（３ａ）とクリップ（２ａ）の接触面には少しの電気しか流れず、完全にスイッチをオンにした状態では、ナイフ（３ａ）とクリップ（２ａ）に表面積が広くなるので、大部分の電気は放電部（２ｂ）を通らず、ナイフ（３ａ）からクリップ（２ａ）へと流れる。
【００１２】
請求項２のナイフスイッチは、機器側支持具（３）は従来のナイフスイッチと同じであるが、抵抗（２ｃ）を取り付けた補助用クリップ（２ｄ）がナイフ（３ａ）と先に接触する。
補助用クリップ（２ｄ）は、抵抗（２ｃ）を取り付けてあるので、クリップ（２ａ）とナイフ（３ａ）が接触したときよりは、電流は少ししか流れない。
そして、後からクリップ（２ａ）に接触するのが特徴で、補助用クリップ（２ｄ）には抵抗（２ｃ）を取り付けてあるため、ナイフ（３ａ）がクリップ（２ａ）と接触する約一割の電気が流れるが、約一割の電気でもスパークする時には、補助用クリップ（２ｄ）を二個用意して、最初に接触する補助用クリップ（２ｄ）が約一分電気が流れ、その次に接触する補助用クリップ（２ｄ）が約九分流れて、両方で一割になる方法がある。
【実施例１】
【００１３】
以下、本発明の実施例について図面を参照して説明する。
図１は、スイッチをオンの状態の斜視図であり、ナイフスイッチの全体の形をイメージして、図２はスイッチをオフの状態の側面図である。三相の２００Ｖ、２５０Ａのナイフスイッチを分かり易くするために、一相だけを書いた。
２５０Ａは、物凄い大電流で、普段は２０Ａぐらいしか加わっていないから普通に操作しているが、最高が２５０Ａなので、２５０Ａを通す物として説明をする。
図２は、オフの状態を示している。ナイフスイッチのナイフ（３ａ）の厚みは４ミリで、電力側支持具（２）は２ミリの真鍮板を曲げてクリップ（２ａ）と放電部（２ｂ）を作った。放電部（２ｂ）は２ミリの真鍮板でできているため弾力性があり、ナイフ（３ａ）と接触すると弾力があり、ナイフ（３ａ）に押されて引っ込む。
【００１４】
図３は、放電部（２ｂ）が接触した状態の側面図である。
放電部（２ｂ）が接触したナイフ（３ａ）は、面取り部（３ｃ）の根元部分の面を取っていないところで接触し、接触する面積は２０平方ミリある。しかし、２０平方ミリあっても２５０Ａを通すと１秒後には、放電部（２ｂ）は溶けてしまうが、そのままナイフ（３ａ）をクリップ（２ａ）の間に差し込む。
その時間は、放電部（２ｂ）がタッチして、クリップ（２ａ）の間に収まるまでに０．０１秒位である。  また、放電部（２ｂ）に放電しても、放電部（２ｂ）は上から押さえ付けるように動くので、クリップ（２ａ）とナイフ（３ａ）が放電したときのように、ナイフ（３ａ）がクリップ（２ａ）を接触した状態ですり動くのとは違い、そのダメージは微小といえる。
【００１５】
図４は、スイッチをオンの状態の側面図である。
ナイフ（３ａ）はクリップ（２ａ）の間に収まり、接触面積は２０ミリ×２０ミリが両面で８００平方ミリあるので、放電部（２ｂ）は殆ど電気を通さず、またナイフスイッチは接触面積が広いため熱を発生しない。
【実施例２】
【００１６】
図５は、請求項２の側面図である。その図は、補助用クリップ（２ｄ）を２個取り付けてあり、最初にナイフ（３ａ）がタッチする補助用クリップ（２ｄ）は、抵抗（２ｃ）にハロゲンランプの５００ｗを使用している。
ハロゲンランプは、普通の電球よりも小さく、普通の抵抗（２ｃ）では抵抗を熱に変えていたが、熱の処分が面倒なためハロゲンランプを採用して、熱を光に変えていた。
２つ目の補助用クリップ（２ｄ）の抵抗（２ｃ）は、ハロゲンランプを９個取り付けて４５００ｗとし、両方の補助用クリップ（２ｄ）で５０００ｗ流れるようにした。
この方法は、ナイフスイッチを操作が多少遅くとも抵抗（２ｃ）が光るだけで障害がない。
【実施例３】
【００１７】
図６は、請求項１と請求項２を合わせた、ナイフスイッチの側面図である。その図は、補助用クリップ（２ｄ）を２個取り付けたあり、最初にナイフ（３ａ）がタッチする補助用クリップ（２ｄ）に放電部（２ｂ）を取り付け、抵抗（２ｃ）にハロゲンランプの５００ｗを使用している。５００ｗのハロゲンランプの抵抗（２ｃ）に、放電部（２ｂ）を取り付けると、ナイフ（３ａ）と補助用クリップ（２ｄ）の放電は無くなり、そのナイフスイッチの寿命も伸びる。したがって、コストの事を無視すればこの方法が、一番良いと思う。
【産業上の利用可能性】
【００１８】
リレーでも請求項２の方法で、接点を保てることができる。リレーで大電流を流すのは、例えば自動車のセルモータのスイッチなどで、広い意味では請求項２の、変わりをマグネットスイッチがしていると言える。
つまり、マグネットスイッチが、メインの配線（ナイフスイッチではクリップ（２ａ））で、そのマグネットスイッチを入れるためにイグニッション・スタータスイッチがあり、そのイグニッション・スタータスイッチはブルインコイルが抵抗となり、補助用クリップ（２ｄ）の変わりをしている。
このリレーと同じように、リレーを作動さすスイッチを補助用クリップ（２ｄ）とし、リレーの作動さすメインの配線の、初期電流を下げる方法もあるが、この方法だとメインに電流が流れだすと、リレーの作動する電気が流れなくなるが、それは今後の課題とする。
【符号の説明】
【００１９】
１  絶縁台    
２  電力側支持具          ２ａ  クリップ          ２ｂ  放電部
２ｃ  抵抗              ２ｅ  電力側取付ネジ
３  機器側支持具          ３ａ  ナイフ            ３ｂ  ヒンジ
３ｃ  面取り部          ３ｅ  機器側取付ネジ
【図１】
2010257808.tif 000003
【図２】
2010257808.tif 000004
【図３】
2010257808.tif 000005
【図４】
2010257808.tif 000006
【図５】
2010257808.tif 000007
【図６】
2010257808.tif 000008
【手続補正書】
【提出日】平成21年5月28日(2009.5.28)
【手続補正１】
【補正対象書類名】明細書
【補正対象項目名】０００２
【補正方法】変更
【補正の内容】
【０００２】
従来のナイフスイッチは、２００Ｖの１Ａぐらいなら繋いだり遮断したりしても放電は多少で、無視しても良い。しかし、２５０Ａだと、その放電は無視できない状態になる。そこで、従来の取扱方法としては、接触片のナイフとクリップを放電させないために、その操作を素早くしていた。そうすると、放電したナイフとクリップの金属が溶けるより早く、スイッチを完全に繋いだり遮断したりしていた。完全に繋いだナイフスイッチは、ナイフとクリップの表面積が広くなり、電流は抵抗なく流れる。
また、特開平１０−３２１０８５の高圧負荷開閉器は、アーク発生部を別に設け、実全昭６０−０７４４４４の非接触式補助接触子と、実全昭６０−０６５９４６の負荷開閉器も補助用ブレードを設けることでナイフとクリップの放電を避ける物があった。
【手続補正２】
【補正対象書類名】明細書
【補正対象項目名】０００３
【補正方法】変更
【補正の内容】
【０００３】
【特許文献１】特開昭６３−２７１８３６
【特許文献２】特開２００６−１６４８４１
【特許文献３】特開２００８−９１２７４
【特許文献４】特開平１０−３２１０８５
【特許文献５】実全昭６０−０７４４４４
【特許文献６】実全昭６０−０６５９４６
【手続補正３】
【補正対象書類名】明細書
【補正対象項目名】０００４
【補正方法】変更
【補正の内容】
【０００４】
従来のナイフスイッチは、２００Ｖの２５０Ａだと放電は無視できない状態になるので、取扱方法としては、接触片のクリップとナイフを放電させないために、その操作を素早くして、放電した金属が溶けるより早く、完全にスイッチを繋いだり遮断したりしていた。すると、完全に繋いだ場合、接触した表面積が広くなり、電気が流れても抵抗にならず、したがって熱も持たない。
しかし、そのことを分かっている人なら、操作も素早くするが、分かっていない人は操作を遅くすると、ナイフスイッチのハンドルに具備されている、機器側支持具のナイフと、それと接触する電力側支持具のクリップとが放電してしまう。すると、表面がガタガタになり、そのためスイッチを入れたとしても、表面積の接触している面が狭くなり、熱を持つ状態となっていた。
また、特開平１０−３２１０８５の高圧負荷開閉器は、アーク発生部を別に設け、実全昭６０−０７４４４４の非接触式補助接触子と、実全昭６０−０６５９４６の負荷開閉器も補助用ブレードを設けることでナイフとクリップの放電を避ける物があったが、高圧負荷開閉器は、構造が複雑であるゆえコストが係り、非接触式補助接触子と負荷開閉器はその上に、ナイフにヒンジを全部で４か所取り付けており、ナイフスイッチの１か所だけでも故障の原因であったので、余り良い方法とは言えない。
【手続補正４】
【補正対象書類名】明細書
【補正対象項目名】０００５
【補正方法】変更
【補正の内容】
【０００５】
そこで、本発明のナイフスイッチは、簡単で制作費が安く、故障が少ない物で、クリ
ップ（２ａ）で放電すると困るので、クリップ（２ａ）で放電するより先に放電部（２ｂ）が接触して、クリップ（２ａ）を放電から守る方法と、抵抗（２ｃ）を取り付けた補助用クリップ（２ｄ）を取り付けることでクリップ（２ａ）を放電から守る方法と、前記放電部（２ｂ）を補助用クリップ（２ｄ）に取り付ける方法の、ナイフスイッチを提供するものである。